(57)【特許請求の範囲】
【請求項１】
原稿載置台に載置された原稿の画像を、スキャナユニットがこの原稿載置台の下面に沿って移動しながら読取り、その読取った画像データをメモリに記憶し、該メモリ内の画像データを、転写紙の両面に画像形成する画像形成方法であって、上記画像データに基づく画像を転写紙に形成するプロセス部に対して、１頁目および２頁目の原稿の一方の原稿の画像が第１面に形成されるように転写紙を搬送した後、この転写紙を反転させて他方の原稿の画像が第２面に形成されるように当該転写紙を搬送する画像形成方法において、
１頁目の原稿が上記原稿載置台に載置されると、その原稿の画像を読取り、その読取った画像データを上記メモリに記憶する第１ステップと、
原稿終了ボタンの操作により原稿終了の指示が上記第１ステップの画像読取り終了後になされたか否かを判断する第２ステップと、
上記第２ステップにて原稿終了が指示されていない場合に、２頁目の原稿が上記原稿載置台に載置されると、その原稿の画像を読取り、その読取った画像データを上記メモリに記憶する第３ステップとを含み、
上記第２ステップにて原稿終了が指示されていない場合には、上記第３ステップによる２頁目の原稿の画像読取り後、転写紙の両面にメモリに記憶された画像データに基づいて１頁目および２頁目の原稿の画像を形成すべく転写紙の供給を開始させ、
上記第２ステップにて原稿終了が指示された場合には、転写紙の片面にメモリに記憶された画像データに基づいて１頁目の原稿の画像を形成すべく転写紙の供給を開始させることを特徴とする画像形成方法。
【請求項２】
原稿を載置するための原稿載置台と、
上記原稿載置台の下面に沿って移動しながら上記原稿載置台に載置された原稿を読取るスキャナユニットと、
上記スキャナユニットが読取った画像データを記憶するメモリと、
転写紙に画像を形成するためのプロセス部と、
上記プロセス部へと画像形成のために転写紙の供給を行う供給部と、
上記供給部により上記プロセス部へと供給され、上記プロセス部によって第１面に画像が形成された転写紙を、第２面に画像が形成されるように反転させて上記プロセス部へと搬送する反転搬送路とを備え、
上記原稿載置台に載置された原稿の画像を、上記スキャナユニットが上記原稿載置台の下面に沿って移動しながら読取り、その読取った画像データを上記メモリに記憶し、上記メモリ内の画像データを上記プロセス部に与えて、転写紙の両面に画像形成する画像形成装置であって、
上記原稿載置台に載置された原稿の読取りを指示する指示ボタンと、
原稿の終了を指示する終了ボタンと、
上記指示ボタンの指示に従って１頁目の原稿の画像を上記スキャナユニットで読取らせた後に、再度上記指示ボタンの指示があった場合には、２頁目の原稿の画像を上記スキャナユニットで読取らせ、原稿２頁分の読取り画像データの上記メモリへの記憶が完了すると、読取った２頁分の画像データを転写紙の第１面及び第２面に形成すべく、上記供給部による転写紙の送りを開始させるとともに、上記反転搬送路による転写紙の反転搬送を実行させる一方、
上記指示ボタンの指示に従って１頁目の原稿の画像を上記スキャナユニットで読取らせ、原稿１頁分の読取りが完了した後に上記終了ボタンの指示があった場合には、読取った１頁分の画像データを転写紙の第１面に形成すべく上記供給部による転写紙の送りを開始させる制御部と、
をさらに備えたことを特徴とする画像形成装置。
【発明の詳細な説明】
【０００１】
【発明の属する技術分野】
本発明は、ディジタル複写機等の原稿の画像を読取る装置を備えた画像処理装置に関する。
【０００２】
【従来の技術】
従来、ディジタル複写機等の画像処理装置のみならず、一般に使用されている複写機において、原稿の読取りを行っている時に、同期して転写紙を転写紙が収納されている転写紙カセットから給紙して、画像形成を行っている。これは、片面のみに画像を有している原稿から、同様に転写紙の片面のみに画像データを形成する、いわゆる片面から片面へのコピーの場合だけではなく、片面から両面へのコピー、又は両面から両面へのコピーにおいても、同様に原稿の読取りを行っている時に、同期して転写紙を転写紙が収納されている転写紙カセットから給紙して画像形成を行っている。
【０００３】
【発明が解決しようとする課題】
上述したごとき従来の画像処理装置では、原稿の読取り動作と転写紙への画像形成動作とが同期しているので、転写紙の片面の画像形成が終了した後に、他の面に形成すべき画像データの読取りが不可能な際や読取りを取り止めた場合に、転写紙が画像処理装置内に取り残されるという問題があった。このため、オペレータが取り残された転写紙を装置より取り除かねばならなかった。
【０００４】
従って本発明は、原稿の画像を読取り、これを転写紙上に画像形成するときの不具合を解消し、作業効率の向上を計った画像処理装置を提供することを目的とする。
【０００５】
上述した目的を達成するための本発明の画像処理方法は、原稿載置台に載置された原稿の画像を、スキャナユニットがこの原稿載置台の下面に沿って移動しながら読取り、その読取った画像データをメモリに記憶し、該メモリ内の画像データを、転写紙の両面に画像形成する画像形成方法であり、かつ、上記画像データに基づく画像を転写紙に形成するプロセス部に対して、１頁目および２頁目の原稿の一方の原稿の画像が第１面に形成されるように転写紙を搬送した後、この転写紙を反転させて他方の原稿の画像が第２面に形成されるように当該転写紙を搬送する画像形成方法であって、１頁目の原稿が上記原稿載置台に載置されると、その原稿の画像を読取り、その読取った画像データを上記メモリに記憶する第１ステップと、原稿終了ボタンの操作により原稿終了の指示が上記第１ステップの画像読取り終了後になされたか否かを判断する第２ステップと、上記第２ステップにて原稿終了が指示されていない場合に、２頁目の原稿が上記原稿載置台に載置されると、その原稿の画像を読取り、その読取った画像データを上記メモリに記憶する第３ステップとを含み、上記第２ステップにて原稿終了が指示されていない場合には、上記第３ステップによる２頁目の原稿の画像読取り後、転写紙の両面にメモリに記憶された画像データに基づいて１頁目および２頁目の原稿の画像を形成すべく転写紙の供給を開始させ、上記第２ステップにて原稿終了が指示された場合には、転写紙の片面にメモリに記憶された画像データに基づいて１頁目の原稿の画像を形成すべく転写紙の供給を開始させることを特徴としている。
また、本発明の目的を達成するための画像形成装置は、原稿を載置するための原稿載置台と、上記原稿載置台の下面に沿って移動しながら上記原稿載置台に載置された原稿を読取るスキャナユニットと、上記スキャナユニットが読取った画像データを記憶するメモリと、転写紙に画像を形成するためのプロセス部と、上記プロセス部へと画像形成のために転写紙の供給を行う供給部と、上記供給部により上記プロセス部へと供給され、上記プロセス部によって第１面に画像が形成された転写紙を、第２面に画像が形成されるように反転させて上記プロセス部へと搬送する反転搬送路とを備え、上記原稿載置台に載置された原稿の画像を、上記スキャナユニットが上記原稿載置台の下面に沿って移動しながら読取り、その読取った画像データを上記メモリに記憶し、上記メモリ内の画像データを上記プロセス部に与えて、転写紙の両面に画像形成する画像形成装置であって、上記原稿載置台に載置された原稿の読取りを指示する指示ボタンと、原稿の終了を指示する終了ボタンと、上記指示ボタンの指示に従って１頁目の原稿の画像を上記スキャナユニットで読取らせた後に、再度上記指示ボタンの指示があった場合には、２頁目の原稿の画像を上記スキャナユニットで読取らせ、原稿２頁分の読取り画像データの上記メモリへの記憶が完了すると、読取った２頁分の画像データを転写紙の第１面及び第２面に形成すべく、上記供給部による転写紙の送りを開始させるとともに、上記反転搬送路による転写紙の反転搬送を実行させる一方、上記指示ボタンの指示に従って１頁目の原稿の画像を上記スキャナユニットで読取らせ、原稿１頁分の読取りが完了した後に上記終了ボタンの指示があった場合には、読取った１頁分の画像データを転写紙の第１面に形成すべく上記供給部による転写紙の送りを開始させる制御部と、をさらに備えたことを特徴としている。
【０００６】
このような構成によれば、載置された原稿が１枚ずつ読取られ、この読取られた画像データを記憶される。このとき、最初の原稿の画像が読取られても、その画像形成を開始せず、次の原稿の画像が読取られ、２頁分の画像データが記憶されると、両面に２頁分の画像データを形成するために転写紙の供給を初めて開始させ、画像形成を行う。また、上記最初の原稿が読取られ、これが記憶された時に、終了を指示する操作がなされると、その時点で１頁分の画像データを転写紙の片面に形成するために転写紙の供給が開始され、画像形成が行われる。そのため、最初の原稿と次の原稿の画像を読取る途中での読取り不具合が生じても、画像形成を行うプロセス部側での対処を必要としなくなる。その結果、オペレータの作業量を低減でき、作業効率の向上を図ることができる。しかも１頁の原稿が読取られ、これが記憶され、終了を示す指示がなされれば、２頁分の原稿の読取り完了に関係なく、転写紙の片面のみへの画像形成が実行される。また、最初および次の原稿の画像を読取り、これによる画像形成動作中に、その転写紙がジャムした場合においても、メモリに記憶させているため、原稿を再度載置させて読取らせるオペレータの作業をも低減できる。
【０００９】
以上のようにオペレータによる作業をできるだけ省き、転写紙の両面への画像形成を含めての作業効率の向上を図るといった目的を自動原稿送り装置と絡めて達成することができる。
【００１０】
【発明の実施の形態】
以下図面を用いて本発明による画像処理装置の一実施例であるディジタル複写機の一例について詳細に説明する。
【００１１】
図６は本実施例のディジタル複写機の一例の構成を概略的に示す断面図であり、図７は図６に示すディジタル複写機に含まれる画像処理部の構成を概略的に示すブロック図である。
【００１２】
図６に示すように、本発明におけるディジタル複写機３０は、スキャナ部３１、レーザプリンタ部３２、多段給紙ユニット３３及びソータ３４を備えている。
【００１３】
スキャナ部３１は透明ガラスから成る原稿載置台３５、両面対応の自動原稿送り装置（ＡＤＦ）３６及びスキャナユニット４０から構成されている。
【００１４】
多段給紙ユニット３３は、第１カセット５１、第２カセット５２、第３カセット５３、及び選択により追加可能な第４カセット５５を具備している。多段給紙ユニット３３では、各段のカセットに収納された転写紙の上から転写紙が１枚ずつ送り出され、レーザプリンタ部３２へ向けて搬送される。ＡＤＦ３６は、複数枚の原稿を一度にセットしておき、自動的に原稿を一枚ずつスキャナユニット４０へ送給して、オペレータの選択に応じて原稿の片面又は両面をスキャナユニット４０に読取らせるように構成されている。
【００１５】
スキャナユニット４０は原稿を露光するランプリフレクタアセンブリ４１、原稿から反射光像を電荷結合素子（ＣＣＤ）４２に導くための複数の反射ミラー４３、及び原稿からの反射光像をＣＣＤ４２に結像させるためのレンズ４４を含んでいる。スキャナ部３１は、原稿載置台３５に載置された原稿を走査する場合には、原稿載置台３５の下面に沿ってスキャナユニット４０が移動しながら原稿画像を読取るようにに構成されており、ＡＤＦ３６を使用する場合には、ＡＤＦ３６の下方の所定位置にスキャナユニット４０を停止させた状態で原稿を搬送しながら原稿画像を読取るように構成されている。
【００１６】
原稿画像をスキャナユニット４０で読取ることにより得られた画像データは、図示していない後述する画像処理部へ送られ各種処理が施された後、画像処理部のメモリに一旦記憶され、出力指示に応じてメモリ内の画像データをレーザプリンタ部３２に与えて転写紙上に画像を形成する。
【００１７】
レーザプリンタ部３２は手差し原稿トレイ４５、レーザ書き込みユニット４６及び画像を形成するための電子写真プロセス部４７を備えている。レーザ書き込みユニット４６は、上述のメモリからの画像データに応じてレーザ光を出射する半導体レーザ、レーザ光を等角速度偏向するポリゴンミラー、等角速度偏向されたレーザ光が静電写真プロセス部４７の感光体ドラム４８上で等角速度偏向されるように補正するｆ−θレンズ等を有している。
【００１８】
電子写真プロセス部４７は、周知の態様に従い、感光ドラム４８の周囲に帯電器、現像器、転写器、剥離器、クリーニング器、除電器及び定着器４９を配置して成っている。定着器４９より画像が形成されるべき転写紙の搬送方向下流側には搬送路５０が設けられており、搬送路５０はソータ３４へ通じている搬送路５７と多段給紙ユニット３３へ通じている搬送路５８とに分岐している。搬送路５８は多段給紙ユニット３３において分岐しており、分岐後の搬送路として反転搬送路５０ａ及び両面／合成搬送路５０ｂが設けられている。反転搬送路５０ａは原稿の両面を複写する両面複写モードにおいて、転写紙の裏表を反転するための搬送路である。両面／合成搬送路５０ｂは、両面複写モードにおいて、反転搬送路５０ａから感光ドラム４８の画像形成位置まで転写紙を搬送したり、転写紙の片面に異なる原稿の画像や異なる色のトナーで画像を形成する合成複写を行う片面合成複写モードにおいて転写紙を反転することなく感光ドラム４８の画像形成位置まで搬送するための搬送路である。
【００１９】
多段給紙ユニット３３は共通搬送路５６を含んでおり、共通搬送路５６は第１カセット５１、第２カセット５２、第３カセット５３からの転写紙を電子写真プロセス部４７に向かって搬出するように構成されている。共通搬送路５６は電子写真プロセス部４７へ向かう途中で第４カセット５５からの搬送路５９と合流して搬送路６０に通じている。搬送路６０は両面／合成搬送路５０ｂ及び手差し原稿トレイ４５からの搬送路６１と合流点６２で合流して静電写真プロセス部４７の感光体ドラム４８と転写器との間の画像形成位置へ通じるように構成されており、これら３つの搬送路の合流点６２は画像形成位置に近い位置に設けられている。
【００２０】
従って、レーザ書き込みユニット４６及び電子写真プロセス部４７において、上述のメモリから読み出された画像データは、レーザ書き込みユニット４６によってレーザ光線を走査させることにより感光体ドラム４８の表面上に静電潜像として形成され、トナーによって可視像化されたトナー像は多段給紙ユニット３３から搬送された転写紙の面上に静電転写され定着される。このようにして画像が形成された転写紙は定着器４９から搬送路５０及び５７を介してソータ３４へ送られたり、搬送路５０及び５８を介して反転搬送路５０ａへ搬送される。
【００２１】
次に、本実施例のディジタル複写機３０に含まれる画像処理部の構成及び機能について説明する。
【００２２】
図７に示すように、ディジタル複写機３０に含まれる画像処理部は、画像データ入力部７０、画像処理部７１、画像データ出力部７２、ＲＡＭ（ランダムアクセスメモリ）等から構成されるメモリ７３及びＣＰＵ（中央処理演算装置）７４を備えている。画像データ入力部７０はＣＣＤ部７０ａ、ヒストグラム処理部７０ｂ及び誤差拡散処理部７０ｃを含んでいる。
【００２３】
画像データ入力部７０は、図５に示すＣＣＤ４２から読み込まれた原稿の画像データを２値化変換して、２値のディジタル量としてヒストグラムをとりながら、誤差拡散法によって画像データを処理して、メモリ７３に一旦記憶するように構成されている。即ち、ＣＣＤ部７０ａでは、画像データの各画素濃度に応じたアナログ電気信号がＡ／Ｄ変換された後、ＭＴＦ補正、白黒補正又はガンマ補正が行われ、２５６階調（８ビット）のディジタル信号としてヒストグラム処理部７０ｂへ出力される。
【００２４】
ヒストグラム処理部７０ｂでは、ＣＣＤ部７０ａから出力されたディジタル信号が２５６階調の画素濃度別に加算され濃度情報（ヒストグラムデータ）が得られると共に、必要に応じて、得られたヒストグラムデータはＣＰＵ７４へ送られ、又は画素データとして誤差拡散処理部７０ｃへ送られる。誤差拡散処理部７０ｃでは、疑似中間調処理の一種である誤差拡散法、即ち２値化の誤差を隣接画素の２値化判定に反映させる方法により、ＣＣＤ部７０ａから出力された８ビット／画素のディジタル信号が１ビット（２値）に変換され、原稿における局所領域濃度を忠実に再現するための再配分演算が行われる。
【００２５】
画像処理部７１は多値化処理部７１ａ及び７１ｂ，合成処理部７１ｃ、濃度変換処理部７１ｄ、変倍処理部７１ｅ，画像プロセス部７１ｆ，誤差拡散処理部７１ｇ並びに圧縮処理部７１ｈを含んでいる。画像処理部７１は、入力された画像データをオペレータが希望する画像データに最終的に変換する処理部であり、メモリ７３に最終的に変換された出力画像データとして記憶されるまでこの処理部にて処理するように構成されている。但し、画像処理部７１に含まれている上述の各処理部は必要に応じて機能するものであり、機能しない場合もある。
【００２６】
即ち、多値化処理部７１ａ及び７１ｂでは、誤差拡散処理部７０ｃで２値化されたデータが再度２５６階調に変換される。
【００２７】
合成処理部７１ｃでは、画素毎の論理演算、即ち論理和、論理積又は排他的論理和の演算が選択的に行われる。この演算の対象となるデータは、メモリ７３に記憶されている画素データ及びパターンジェネレータ（ＰＧ）からのビットデータである。
【００２８】
濃度変換処理部７１ｄでは、２５６階調のディジタル信号に対して、所定の階調変換テーブルに基づいて入力濃度に対する出力濃度の関係が任意に設定される。
【００２９】
変倍処理部７１ｅでは、指示された変倍率に応じて、入力される既知データにより補間処理を行うことによって、変倍後の対象画素に対する画素データ（濃度値）が求められ、副走査が変倍された後に主走査が変倍処理される。
【００３０】
画像プロセス部７１ｆでは、入力された画素データに対して様々な画像処理が行われ、又、特徴抽出等データ列に対する情報収集が行われ得る。
【００３１】
誤差拡散処理部７１ｇでは、画像データ入力部７０の誤差拡散処理部７０ｃと同様な処理が行われる。
【００３２】
圧縮処理部７１ｈでは、ランレングスという符号化により２値データが圧縮される。又、画像データの圧縮に関しては、最終的な出力データが完成した時点で最後の処理ループにおいて圧縮が機能する。
【００３３】
画像データ出力部７２は復元部７２ａ、多値化処理部７２ｂ、誤差拡散処理部７２ｃ及びレーザ出力部７２ｄを含んでいる。
【００３４】
画像データ出力部７２は、圧縮状態でメモリ７３に記憶されている画像データを復元し、元の２５６階調に再度変換し、２値データより滑らかな中間調表現となる４値データの誤差拡散を行い、レーザ出力部７２ｄへデータを転送するように構成されている。即ち、復元部７２ａでは、圧縮処理部７１ｈによって圧縮された画像データが復元される。
【００３５】
多値化処理部７２ｂでは、画像処理部７１の多値化処理部７１ａ及び７１ｂと同様な処理が行われる。誤差拡散処理部７２ｃでは、画像データ入力部７０の誤差拡散処理部７０ｃと同様な処理が行われる。
【００３６】
レーザ出力部７２ｄでは、図に示していないシーケンスコントローラからの制御信号に基づき、ディジタル画素データがレーザのオン／オフ信号に変換され、レーザがオン／オフ状態となる。
【００３７】
尚、画像データ入力部７０及び画像データ出力部７２において扱われるデータは、メモリ７３の容量の削減のため、基本的には２値データの形でメモリ７３に記憶されているが、画像データの劣化を考慮して４値のデータの形で処理することも可能である。
【００３８】
次に、本発明の主要部分について説明する。
【００３９】
図１は、本発明によるディジタル複写機における両面複写を実行する制御部における動作制御にかかる概略を示すフローチャート図であり、図２は、本発明によるディジタル複写機における両面複写を実行する他の制御例の概略を示すフローチャート図である。
【００４０】
また、図３は、ＡＤＦ、画像入力部等の動作を示すタイムチャート図である。また、図４は図１に示すディジタル複写機の操作パネルの概略図であり、図５は、操作パネルの表示部に表示される両面複写を選択するプラス機能選択画面を示すものである。
【００４１】
両面複写は、まず、図４に示す操作パネル１０上の表示部１１に表示されるプラス機能選択画面上の“片面→両面コピー（偶数枚）”キー、“片面→両面コピー（奇数枚）”キー、又は“両面→両面コピー”キーのいずれかを押して、両面複写を選択し、コピー開始ボタンを押すことによって開始（ステップＳ１０）する。
【００４２】
次に、ＡＤＦ３６によって転写紙の表に転写される画像データが含まれる原稿が原稿載置台に載置（ステップＳ１１）される。次に、原稿の画像データを読取るようにスキャナユニットがスキャンする。そして、このスキャンによって画像データが読取られたか否かが判定（ステップＳ１２）される。もし正常に読取られなかった場合、例えばＡＤＦにおいて原稿がジャムした場合又は読取りを途中で停止した場合には、ステップＳ１１に戻る。
【００４３】
ジャム発生の場合、オペレータによって原稿がＡＤＦ３６等から取り除かれ、コピー開始ボタンを押して再度コピーが開始される。ステップＳ１２の判定結果が肯定的な結果である場合には、ＡＤＦ３６によって転写紙の裏に転写される画像データが含まれる原稿が原稿載置台に載置（ステップＳ１３）される。この場合、ＡＤＦ３６の動作には２通りがある。１つは、片面→両面コピーの場合であり、ステップＳ１１でセットされた原稿とは異なる継続する頁の原稿が載置される。
【００４４】
もう１つは、両面→両面コピーであり、ステップＳ１１でセットされた原稿が裏返されて原稿載置台に載置される。次に、原稿の画像データを読取るようにスキャナユニットがスキャンする。そして、このスキャンによって画像データが読取られたか否かが判定（ステップＳ１４）される。もし正常に読取られなかった場合、例えばＡＤＦ３６において原稿がジャムした場合には、ステップＳ１３に戻る。
【００４５】
ステップＳ１２の判定結果が肯定的な結果である場合、転写紙が転写紙を収納したカセットから給紙（ステップＳ１５）され、両面の画像データが転写紙に順次形成（ステップＳ１６）される。尚、転写紙の両面に画像データを転写するための前処理として行われるべき全てのシーケンスが完了したか否かを判定する手段はステップＳ１０からＳ１４に対応し、転写紙の給紙を開始する手段はステップＳ１５に対応する。
【００４６】
次に、オペレータが手動にて原稿を原稿載置台の上に載置して、原稿を一枚づつ読み取らせる場合に有効に動作する制御動作について説明する。
【００４７】
原稿載置台の上に置かれた原稿は一枚づつ読み取られる。このとき原稿二頁分が読み取られると、一枚の転写紙の両面に画像を転写するためのシーケンスが完了したので、給紙を開始し転写が行われる。しかし、最終の原稿が二頁分に満たない場合、一頁のみ読み取らせても転写のためのシーケンスは完了せず、操作パネル上の指示手段としての原稿終了キーを押すことによってシーケンスは完了され、一枚の転写紙の片面のみに転写が行われる。
【００４８】
この様な動作について図２を参照して以下に詳しく説明する。
【００４９】
そこで、上述したようにオペレータが手動にて原稿を原稿載置台に載置し、両面コピーを行うために、まず、図４に示す操作パネル１０上の両面複写を選択し、コピー開始ボタンを押すことによって開始（ステップＳ２０）する。
【００５０】
オペレータによって転写紙の表に転写される画像データが含まれる原稿が原稿載置台に載置（ステップＳ２１）され、例えば、読み取りボタンを押すことによって、原稿の画像データを読取るようにスキャナユニット４０がスキャンする。そして、このスキャンによって画像データが読取られたか否かが判定（ステップＳ２２）、され、もし正常に読取られなかった場合ステップＳ２１に戻る。
【００５１】
ステップＳ２２の判定結果が肯定的な結果である場合には、原稿終了を指示する原稿終了ボタンが押されたか否かが判定（ステップＳ２３）される。原稿終了ボタンをオペレータが押さない場合、転写紙の裏に転写される画像データが含まれる原稿が原稿載置台に載置（ステップＳ２４）される。次に、読み取りボタンが押され、原稿の画像データを読取るようにスキャナユニット４０がスキャンする。そして、このスキャンによって画像データが読取られたか否かが判定（ステップＳ２５）され、もし正常に読取られなかった場合、ステップＳ２３に戻る。
【００５２】
ステップＳ２３において原稿終了ボタンが押された場合、又は、ステップＳ２５において画像データが正常に読み取られた場合、転写紙が転写紙を収納したカセットから給紙（ステップＳ２６）され、両面の画像データが転写紙に順次形成（ステップＳ２７）される。尚、片面の画像データのみの場合、ステップＳ２７においては片面の画像データのみが転写紙に転写される。
【００５３】
次に、図３に示すタイムチャートを用いて上記第１実施例の動作について説明する。コピースタートがオンになると、ＡＤＦ３６の制御信号がハイとなり、ＡＤＦ３６が動作して原稿が原稿載置台上に給紙される。載置されると同時に、画像入力がハイとなりスキャナユニット４０がスキャンして原稿の画像データが読取られる。読取られた画像データは、残りの原稿のスキャン中に上記したようにディジタル化等の処理が実施される。
【００５４】
そして、転写紙の裏面に転写される２枚目の画像データを含む原稿が、同様にＡＤＦから給紙され、画像データが読取られ処理される。このように、ジャム等の不具合が発生せず、両面の画像データが処理されて初めて、転写紙が供給されて画像データが転写紙上に形成され画像形成動作を開始している。表面に画像が形成されたると、その転写紙が反転され、裏面の画像データが転写紙上に転写されて１枚の両面転写が終了する。
【００５５】
この様に、転写紙の両面に画像データを転写するための全てのシーケンスが完了してから、転写紙を給紙して画像データを形成するので、ＡＤＦにジャムが発生した場合等において画像処理装置内に転写紙を取り残すことがなくなり、作業効率を向上することができる。
【００５６】
【発明の効果】
以上詳細に説明したように本発明によれば、原稿を光学的に読取りこれを記憶させ、この記憶した画像データをプロセス部を介して転写紙に画像形成を行う場合、第１および第２の原稿の画像を読取り、これを記憶した後、転写紙をプロセス部の画像形成位置へと搬送する動作を開始させる。
【００５７】
従って、原稿の読取り不具合が生じても、転写紙への画像形成のためのプロセス部での対処を必要とせず、よってオペレータによる負担を軽減でき、作業効率上の向上を図れる。
【００５８】
また、１頁分の原稿を読取り、その後に原稿終了が指示されれば、読取られた原稿の画像を転写紙の片面のみに形成することができる。
【００６０】
しかも、読取った画像データは、メモリに記憶され、記憶されたメモリからの画像データを転写紙に形成するものであるため、転写紙側でのジャム等にて再度先の原稿の画像を読取るためのオペレータの手間をなくすことができる。
【図面の簡単な説明】
【図１】本発明における画像処理装置であるディジタル複写機による原稿を自動送りする場合での両面への画像形成動作の概略を示すフローチャート図である。
【図２】本発明のディジタル複写機において、手動で原稿の画像を読取る場合での両面への画像形成動作の概略を示すフローチャート図である。
【図３】本発明におけるディジタル複写機の両面転写の動作の概略を示すタイムチャート図である。
【図４】本発明におけるディジタル複写機の操作パネルの一例を示す平面図である。
【図５】操作パネル上の表示部に表示されるプラス機能選択画面の一例を示す。
【図６】本発明におけるディジタル複写機の一例の構成を概略的に示す断面図である。
【図７】本発明に係わるディジタル複写機に含まれる画像処理部の構成を概略的に示すブロック図である。
【符号の説明】
３０  ディジタル複写機（画像処理装置）
３１  スキャナ部
３２  レーザプリンタ部
３３  多段給紙ユニット（搬送手段）
３６  自動原稿送り装置（ＡＤＦ）
４０  スキャナユニット
４７  電子写真プロセス部（プロセス部）
５０ａ  反転搬送路（搬送手段）
５０ｂ  両面／合成搬送路（搬送手段）
６０  搬送路（搬送手段）
【図１】
0003625158.tif 000002
【図２】
0003625158.tif 000003
【図３】
0003625158.tif 000004
【図４】
0003625158.tif 000005
【図５】
0003625158.tif 000006
【図６】
0003625158.tif 000007
【図７】
0003625158.tif 000008